(57)【要約】【課題】対物レンズの移動範囲を一定に保ち得る対物レンズの駆動装置及びそれを用いた光ピックアップを提供する。【解決手段】対物レンズ駆動装置１３は、対物レンズ１を保持する可動部１６を移動可能に支持する支持部材１０と、可動部１６に接触することによって、可動部１６のラジアル方向及びフォーカス方向の移動距離を規制するストッパー９とを備えている。ストッパー９は、平面形状が「コ」の字状に形成されていると共に、ストッパー９の「コ」の字の開口する部分の寸法を一定に保持するダンプブロック７が、ストッパー９に挟持されて設けられている。【選択図】図１
2007179638.tif 000002
【特許請求の範囲】
【請求項１】
対物レンズを保持する対物レンズ保持部材を移動可能に支持する支持部材と、
上記対物レンズ保持部材に接触することによって、対物レンズ保持部材のラジアル方向及びフォーカス方向の移動距離を規制する規制部とを備える対物レンズ駆動装置において、
上記規制部は、平面形状が「コ」の字状に形成されていると共に、
上記規制部の「コ」の字の開口する部分の寸法を一定に保持する固定部材が、該規制部に挟持されて設けられていることを特徴とする対物レンズ駆動装置。
【請求項２】
対物レンズを保持する対物レンズ保持部材を移動可能に支持する支持部材と、
上記対物レンズ保持部材に設けられた、上記対物レンズの光軸の方向と直交する方向に突出する突起部と接触することによって、対物レンズ保持部材のフォーカス方向の移動距離を規制すると共に、対物レンズ保持部材の側面に接触することによって、対物レンズ保持部材のラジアル方向の移動距離を規制する規制部とを備える対物レンズ駆動装置において、
上記規制部は、平面形状が「コ」の字状に形成されていると共に、
上記規制部における互いに対向する領域には、対物レンズ保持手段が移動したときに接触する接触部と規制部の位置決めを行なう位置決め部とをそれぞれ備え、
上記規制部の「コ」の字の開口する部分の寸法を一定に保持する固定部材が、位置決め部に挟持されて設けられていることを特徴とする対物レンズ駆動装置。
【請求項３】
上記規制部の「コ」の字における互いに対向する領域には、上記支持部材の側面を覆う遮蔽部がそれぞれ形成されていることを特徴とする請求項１又は２記載の対物レンズ駆動装置。
【請求項４】
上記固定部材が、ダンピング剤が注入されるダンプブロックであることを特徴とする請求項１〜３の何れか１項に記載の対物レンズ駆動装置。
【請求項５】
前記規制部は、ベース基板上に固定されるものであり、
前記固定部材は、上記ベース基板に固定して設けられた磁性ヨークであることを特徴とする請求項１〜３の何れか１項に記載の対物レンズ駆動装置。
【請求項６】
前記遮蔽部に、開口部が形成されていることを特徴とする請求項３記載の対物レンズ駆動装置。
【請求項７】
前記規制部は、樹脂または軽金属からなっていることを特徴とする請求項１〜６の何れか１項に記載の対物レンズ駆動装置。
【請求項８】
請求項１〜７の何れか１項に記載の対物レンズ駆動装置を備えることを特徴とする光ピックアップ。
【発明の詳細な説明】
【技術分野】
【０００１】
本発明は、光ディスク等の記録媒体に対して、情報の記録及び再生を行なうための装置に適用される対物レンズ駆動装置に関するものであり、特に、対物レンズを保持する対物レンズ保持部材を移動可能に支持する支持部材と、上記対物レンズ保持部材に接触することによって、対物レンズ保持部材の移動距離を規制する規制部とを備える対物レンズ駆動装置及びそれを用いた光ピックアップに関するものである。
【背景技術】
【０００２】
近年、ＤＶＤ（Digital Versatile Disc）や、その次世代の記録媒体であるBlu-ray Discの記録再生技術が盛んに研究、開発されている。それらの開発要素の一つとして、とりわけ情報の高速記録再生は重要であり、要求されるディスク回転数がますます高まる中で、それに追従する対物レンズ駆動装置の開発が必須となっている。
【０００３】
高速記録再生可能な対物レンズ駆動装置において、対物レンズを保持した可動部に掛かる負荷は、高速記録再生時のほうが通常の記録再生時よりも大きくなる。さらに、対物レンズ駆動装置の駆動時に、突発的な大電流が該対物レンズ駆動装置に印加されたり衝撃が加わったりすることによって、可動部に掛かる負荷の合計が一定量以上となり、その結果、エラーが発生することになる。このとき、駆動時の負荷が通常よりも大きいため、通常よりも小さい衝撃などでエラーが発生してしまう。例えば、サーボが暴走したり光ディスクドライブそのものが落下したりすると、対物レンズを保持した可動部が中立位置から大きく移動して、それに伴って、可動部を支持する支持部材が変形して対物レンズの駆動特性が劣化したり、可動部が別部材にひっかかって駆動不能となったりする。このように、高速記録再生時においては上記サーボの暴走や衝撃が加わることよってエラーが発生しやすくなるという問題がある。
【０００４】
この問題を解決する手法の一つとして、可動部の周囲を囲うストッパーを用いて可動部の移動距離を制限するという手法があり、これによって上記支持部材の変形やひっかかりの発生を機械的に無くすことが可能となる（例えば、特許文献１参照）。
【０００５】
図９（ａ）は、特許文献１に記載された対物レンズ駆動装置１００の構成を示す平面図であり、図９（ｂ）はその側面図である。図１０（ａ）は、図９（ａ）（ｂ）の対物レンズ駆動装置１００に用いられているストッパー部１０６の平面図であり、図１０（ｂ）は、図１０（ａ）のＡ−Ａ線矢視断面図である。
【０００６】
特許文献１に記載された対物レンズ駆動装置１００では、図９（ａ）（ｂ）に示すように、光ディスク１１１に対向するように、対物レンズ１０１が保持されているレンズホルダー１０２を有する可動部１０３が、支持部材１０４によって移動可能に、ベース基板１０５に取り付けられている。そして、可動部１０３の周囲には、「コ」の字型のストッパー部１０６が配置されている。
【０００７】
また、図１０（ａ）に示すように、上記ストッパー部１０６には、対物レンズ１０１の光軸の方向に突出する突起部１０７が設けられている。このストッパー部１０６上の突起部１０７と可動部１０３に取り付けられた基板１０８とが接触することによって、可動部１０３のフォーカス方向の移動距離が制限されるようになっている。また、可動部１０３に設けられた突起部１１０とストッパー部１０６上の端壁部１０９とがそれぞれ接触することによって、可動部１０３のラジアル方向の移動距離が制限されるようになっている。
【０００８】
また、上記特許文献１に記載の構成では、可動部１０３に設けられた突起部１１０やストッパー部１０６上の突起部１０７は対物レンズより光源側に配されるため、対物レンズの作動距離が０．３ｍｍ程度と小さくなってしまうBlu-ray Disc規格やさらに次世代の規格においても構成可能である。
【特許文献１】特開２００５−２５１２４５号公報（公開日：２００５年９月１５日）
【発明の開示】
【発明が解決しようとする課題】
【０００９】
しかしながら、上記従来の構成では、対物レンズの移動範囲が狭くなるという問題を有している。
【００１０】
具体的には、可動部１０３と接触するストッパー部１０６の突起部１０７は、肉薄なものであるにも関わらず、その位置決めがされていない。そのため、熱による変形や成形ミスが発生したときに、互いに対向する突起部１０７同士の間隔が狭くなるおそれがある。さらに、ストッパー部１０６を対物レンズ駆動装置に対して、傾けて取り付けてしまうという取付け誤差も発生するおそれがある。これらを併せると、結果として、可動部１０３と突起部１０７とのクリアランスが設計値よりも小さくなり、対物レンズ１０１を保持する可動部１０３におけるラジアル方向、すなわち、光ディスク１１１の半径方向と平行な方向の移動範囲を縮めてしまう。そのため、ディスク規格から要求される必要追従量を満足できなくなるという問題が生じる。
【００１１】
本発明は、上記の問題点に鑑みてなされたものであり、その目的は、対物レンズの移動範囲を一定に保ち得る対物レンズの駆動装置及びそれを用いた光ピックアップを提供することにある。
【課題を解決するための手段】
【００１２】
本発明の対物レンズ駆動装置は、上記課題を解決するために、対物レンズを保持する対物レンズ保持部材を移動可能に支持する支持部材と、上記対物レンズ保持部材に接触することによって、対物レンズ保持部材のラジアル方向及びフォーカス方向の移動距離を規制する規制部とを備える対物レンズ駆動装置において、上記規制部は、平面形状が「コ」の字状に形成されていると共に、上記規制部の「コ」の字の開口する部分の寸法を一定に保持する固定部材が、該規制部に挟持されて設けられていることを特徴としている。
【００１３】
また、本発明の対物レンズ駆動装置は、上記課題を解決するために、対物レンズを保持する対物レンズ保持部材を移動可能に支持する支持部材と、上記対物レンズ保持部材に設けられた、上記対物レンズの光軸の方向と直交する方向に突出する突起部と接触することによって、対物レンズ保持部材のフォーカス方向の移動距離を規制すると共に、対物レンズ保持部材の側面に接触することによって、対物レンズ保持部材のラジアル方向の移動距離を規制する規制部とを備える対物レンズ駆動装置において、上記規制部は、平面形状が「コ」の字状に形成されていると共に、上記規制部における互いに対向する領域には、対物レンズ保持手段が移動したときに接触する接触部と規制部の位置決めを行なう位置決め部とをそれぞれ備え、上記規制部の「コ」の字の開口する部分の寸法を一定に保持する固定部材が、位置決め部に挟持されて設けられていることを特徴としている。
【００１４】
ここで、「ラジアル方向」とは、対物レンズの光軸の方向と直交し、かつディスクの同心方向、すなわちディスク上のトラックを垂直に横切る方向と平行な方向を意味する。また、「フォーカス方向」とは、対物レンズの光軸方向と平行な方向を意味する。
【００１５】
本発明の構成によれば、対物レンズ保持部材と規制部とが接触することにより、確実に対物レンズ保持部材の移動範囲が規制される。そして、平面形状が「コ」の字状の規制部における位置決め部が固定部材を挟持することによって、規制部の「コ」の字の開口する部分の寸法が一定に保持される。これにより、規制部に熱による変形や成形ミスが生じたとしても、規制部と対物レンズ保持部材との、対物レンズの光軸の方向と直交する方向、すなわちラジアル方向の間隔を一定に保つことが可能となると共に、規制部が傾いて対物レンズ駆動装置に固定されることが低減される。その結果、対物レンズ保持手段の移動範囲を高い精度で保つことが可能となる。それゆえ、ディスク規格から要求される追従量を満足でき、かつ衝撃時のエラー発生を抑制することができる。
【００１６】
本発明の対物レンズ駆動装置では、上記規制部の「コ」の字における互いに対向する領域には、上記支持部材の側面を覆う遮蔽部がそれぞれ形成されていることが好ましい。
【００１７】
上記の構成によれば、支持部材の側面が遮蔽部によって覆われているので、従来の、対物レンズ駆動装置における、支持部材が外部に剥き出しになっているものに比べて、組立時に支持部材が他の部材と抵触して破損する等のトラブルを回避でき、製品の良品率を向上することができる。
【００１８】
本発明の対物レンズ駆動装置では、上記固定部材が、ダンピング剤が注入されているダンプブロックであることが好ましい。
【００１９】
一般に、対物レンズ保持部材を支持する支持部材は、当該支持部材の共振の共振ピーク量を低減するために、ダンピング剤が注入されているダンプブロックを介して、対物レンズ駆動装置に固定される。
【００２０】
ここで、本発明の構成によれば、規制部はダンプブロックを挟んで位置決めされている。これにより、規制部と対物レンズ保持部材との、対物レンズの光軸の方向と直交する方向、すなわちラジアル方向の間隔を一定に保つことが可能となることに加えて、対物レンズ駆動装置に設けられるダンピングブロックを使用するので、規制部を位置決めする部材を別途必要とせずに、規制部を位置決めすることができる。
【００２１】
本発明の対物レンズ駆動装置では、前記規制部は、ベース基板上に固定されるものであり、前記固定部材は、上記ベース基板に固定して設けられた磁性ヨークであることが好ましい。
【００２２】
上記の構成によれば、規制部における対向部材は、ベース基板上に固定して設けられた磁性ヨークを挟持することによって位置決めされている。これにより、規制部は、他の部材を介さずに、ベース基板に固定され、かつ位置決めされるので、対物レンズ保持部材と規制部との間隔がずれることがより一層低減され、製品の品質を向上することができる。
【００２３】
本発明の対物レンズ駆動装置では、前記遮蔽部に、開口部が形成されていることが好ましい。
【００２４】
上記の構成によれば、開口部により支持部材の雰囲気温度を低下させることができる。これにより、記録再生時に、支持部材の温度上昇を防止することができ、例えば、対物レンズ保持部材を駆動させるためのマグネットが形成する磁界の減少や、対物レンズ保持部材の共振周波数の低下などの特性劣化を抑制することができる。
【００２５】
本発明の対物レンズ駆動装置では、前記規制部は、例えばポリカーボネイト等の樹脂、または例えばアルミニウム、マグネシウム等の軽金属からなっていることが好ましい。
【００２６】
上記の構成によれば、規制部を軽量化することができるので、規制部に加速度が掛かった際に働く力を小さくすることができる。これにより、例えば、対物レンズ駆動装置を備えた光ディスクドライブが地面に落下した場合に生じる剥れを防止することができる。また、加工精度を向上しやすく、対物レンズ保持部材の移動範囲を安定化させることができる。
【００２７】
さらに、樹脂及び軽金属は非磁性材料からなるので、対物レンズ保持部材を移動させるための、例えば、マグネットを含む磁気回路が作る磁束分布を乱すことがない。これにより、対物レンズ保持部材を安定に移動させることができる。
【００２８】
本発明の光ピックアップは、上記課題を解決するために、上記対物レンズ駆動装置を備えることを特徴としている。
【００２９】
上記の構成によれば、対物レンズの移動範囲を一定に保つと共に、対物レンズ駆動装置の組立時のハンドリング性を向上し得る光ピックアップを提供することができる。
【発明の効果】
【００３０】
本発明の対物レンズ駆動装置は、以上のように、上記規制部は、平面形状が「コ」の字状に形成されていると共に、上記規制部の「コ」の字の開口する部分の寸法を一定に保持する固定部材が、該規制部に挟持されて設けられているものである。
【００３１】
また、本発明の対物レンズ駆動装置は、以上のように、上記規制部は、平面形状が「コ」の字状に形成されていると共に、上記規制部における互いに対向する領域には、対物レンズ保持手段が移動したときに接触する接触部と規制部の位置決めを行なう位置決め部とをそれぞれ備え、上記規制部の「コ」の字の開口する部分の寸法を一定に保持する固定部材が、位置決め部に挟持されて設けられているものである。
【００３２】
それゆえ、平面形状が「コ」の字状の規制部は、固定部材によって、その「コ」の字の開口する部分の寸法が一定に保持されているので、規制部に熱による変形や成形ミスが生じたとしても、規制部と対物レンズ保持部材との、対物レンズの光軸の方向と直交する方向、すなわちラジアル方向の間隔を一定に保つことが可能となる。これにより、ディスク規格から要求される追従量を満足でき、かつ衝撃時のエラー発生を抑制することができるという効果を奏する。
【００３３】
その結果として、対物レンズの移動範囲を一定に保ち得る対物レンズ駆動装置を提供することができるという効果を奏する。
【００３４】
本発明の光ピックアップは、以上のように、上記対物レンズ駆動装置を備えているものである。
【００３５】
それゆえ、対物レンズの移動範囲を一定に保ち得る光ピックアップ対物を提供することができるという効果を奏する。
【発明を実施するための最良の形態】
【００３６】
〔実施の形態１〕
本発明の一実施形態について図１ないし図６に基づいて説明すると以下の通りである。
【００３７】
本実施の形態では、光ディスク等の記録媒体に情報を高速記録再生するための、対物レンズ駆動装置及びそれを用いた光ピックアップについて説明する。なお、上記光ピックアップとしては、特に限定されるものではなく、一般的に用いられる光ピックアップを使用することができる。
【００３８】
例えば、上記光ピックアップは、レーザー光源、光ディスクの記録面上に集光スポットを形成するための集光光学系、集光スポットをラジアル方向及びフォーカス方向に駆動させる対物レンズ駆動装置、収差補償機構、及び、光ディスクから読み取った信号を電気信号に変換する光検出器等で構成されるものである。この光ピックアップを用いることによって、光ディスクに記録されたビット情報を電気信号として検出することができる。
【００３９】
図１は、本実施の形態の対物レンズ駆動装置の斜視図である。図２（ａ）は上記対物レンズ駆動装置の平面図であり、図２（ｂ）は、その側面図である。
【００４０】
本実施の形態の対物レンズ駆動装置１３は、図１に示すように、図示しない光ピックアップに固定されるベースプレート（ベース基板）６、ベースプレート６に固定的に取り付けられた固定部、及び固定部に可動的に取り付けられた可動部（対物レンズ保持部材）１６を備えている。この可動部１６は後述する支持部材１０により支持されている。
【００４１】
可動部１６は、対物レンズ１と、対物レンズ１を保持するレンズホルダー２と、駆動コイル３と、中継基板４とを備えている。
【００４２】
対物レンズ１は、光源（図示せず）からの光を光ディスク（図示せず）に集光させるものであり、光ディスクに対して、対向配置されるようになっている。なお、本実施の形態では、対物レンズ駆動装置における、光ディスクに対向する面側を上側とすると共に、上側に対向する面側を下側とする。
【００４３】
駆動コイル３は、対物レンズ１を保持するレンズホルダー２を、フォーカス方向及びラジアル方向に駆動させるためのものであり、フォーカス駆動用コイルとラジアル駆動用コイルとを備えている。また、必要に応じて、対物レンズ１の光軸を光ディスクの記録面に対して垂直になるようにレンズホルダー２を駆動させるチルト駆動用コイルを含んでいてもよい。
【００４４】
なお、フォーカス方向とは、図２（ｂ）において矢印で示すように、光ディスクの記録面に垂直な方向、すなわち、光ディスクに対して、近接または離反する方向である。また、ラジアル方向とは、図２（ａ）において矢印で示すように、光ディスクの半径方向、すなわち、光ディスクの記録面に平行な方向であり、光ディスクに記録された情報を再生または記録する際に、光源からの光によって、光ディスクの記録領域を走査する方向である。換言すれば、フォーカス方向は、光ディスクに対向配置される対物レンズ１の光軸方向であり、ラジアル方向とは対物レンズ１の光軸方向に直交する方向である。
【００４５】
また、図２（ａ）に示すように、駆動コイル３はレンズホルダー２の周囲を囲うように配置されており、その駆動コイル３の側面に中継基板４が設けられている。
【００４６】
ベースプレート６は略長方形の平板状の基板であり、可動部１６や、固定部が固定されるものである。ベースプレート６に垂直に突出して、ベースプレート６の４隅に突起部６ａ〜６ｄが形成されている。この突起部６ａ〜６ｄは、ベースプレート６上に設けられる可動部１６や、後述するダンプブロック７等の各部材の位置がずれないようにするためのものである。
【００４７】
次に、図１に示すように、固定部は、第一マグネット５と、第二マグネット１１と、ダンプブロック（固定部材）７と、固定基板８と、ストッパー（規制部）９と、第一ヨーク１７と、第二ヨーク１８とから構成されている。
【００４８】
第一マグネット５及び第二マグネット１１は略矩形の永久磁石片であり、ラジアル方向に直交する方向に可動部１６を挟んで、それぞれ対向してベースプレート６上に設けられている。第一マグネット５及び第二マグネット１１は、互いに反発し合う極性となるように、つまり双方から発生した磁束が向かい合うような磁場を発生するように、配置されている。
【００４９】
第一ヨーク１７及び第二ヨーク１８はベースプレート６に垂直に突出して設けられた突起部であり、強磁性材料からなる長方形の平板である。そして、第一ヨーク１７及び第二ヨーク１８は、第一マグネット５及び第二マグネット１１の互いに対向する面の反対の面接して配置されている。
【００５０】
この第一マグネット５、第二マグネット１１、第一ヨーク１７、及び第二ヨーク１８により磁気回路が形成される。駆動コイル３に電流が流れると、磁気回路によって形成される磁場から力（駆動力）を受け、可動部１６が移動するようになっている。
【００５１】
第二マグネット１１及び第二ヨーク１８を囲むように、ダンプブロック７がベースプレート６上に配されている。ダンプブロック７は、ダンピング材を安定して保持するための部材である。ダンピング材は、図１に示すようなブロック体の空洞領域７ａに充填されており、衝撃が加わったとしても、ダンプブロック７からこぼれることはない。また、ダンプブロック７におけるダンピング材が充填された箇所には、支持部材１０がその中を貫通しており、このように支持部材１０にダンピング材を接触させることにより、支持部材１０のもつ共振の共振ピーク量を低減するダンピング効果が得られる。
【００５２】
また、ダンプブロック７における第一ヨーク１７が接している面に対向する面には、固定基板８が固定されている。固定基板８は、支持部材１０を固定するためのものである。
【００５３】
支持部材１０は、固定基板８と中継基板４とを相互に接続しており、可動部１６を移動可能に支持している。支持部材１０はラジアル方向に直交する方向に平行に、可動部１６の側面側に２本ずつ、合計４本設けられている。
【００５４】
また、４本の支持部材１０のうち、２本はフォーカス方向駆動コイルに、残りの２本はラジアル方向駆動コイルに電気的に接続されている。すなわち、支持部材１０は固定基板８から駆動コイル３へ電流を供給する供給経路の機能も兼ね備えている。そして、支持部材１０及び中継基板４を介して、フォーカス方向駆動コイル及びラジアル方向駆動コイルのそれぞれに電流を印加することにより、両者を独立して駆動することを可能としている。
【００５５】
なお、可動部１６がチルト駆動コイルを備えている場合、さらに、可動部１６の側面側にもう１本ずつ支持部材１０を備えていることが望ましい。
【００５６】
また、支持部材１０としては、例えば燐青銅のワイヤーやベリリウム銅の板バネを用いることができる。
【００５７】
ストッパー９は、可動部１６の移動範囲を所定の範囲に制限するためのものである。ストッパー９は光ディスクと平行な断面が略「コ」の字状となっており、可動部１６の周囲を囲むように配置されている。
【００５８】
ストッパー９の材質としては、非磁性、軽量、かつ加工精度の高いものが望ましい。非磁性であることにより、第一マグネット５及び第二マグネット１１を含む磁気回路が作る磁束分布を乱すことがない。また軽量であることにより、別部材に接着固定されたストッパー９に加速度がかかった際に働く力を小さくできるため、例えば光ディスクドライブが落下した場合に、ストッパー９の剥れを防止できる。また、加工精度が高いことにより、可動部１６の移動範囲を安定化できる。具体的な材質として、例えば、樹脂であればポリカーボネイト、ＰＰＳ（ポリフェニレンサルファイド）樹脂、ＡＢＳ樹脂、又は液晶ポリマー等が該当し、金属であればアルミニウム、マグネシウム、または、アルミニウム合金やマグネシウム合金が該当する。
【００５９】
次に、可動部１６及びストッパー９の形状について、それぞれ図３（ａ）（ｂ）及び図４（ａ）（ｂ）を参照しながら説明する。図３（ａ）は本実施の形態の対物レンズ駆動装置における可動部の概略構成を示す平面図であり、図３（ｂ）は、その側面図である。
【００６０】
図３（ａ）（ｂ）に示すように、可動部１６の側面にはラジアル方向に突起する突起部２ａ・２ｂが設けられている。より具体的には、レンズホルダー２における対物レンズ１が取り付けられる面とは反対の面に、対物レンズ１の光軸に垂直な方向に突起する突起部２ａ・２ｂが設けられている。また、突起部２ａ・２ｂは、駆動コイル３よりも下側に位置していると共に、中継基板４よりもラジアル方向に突出するように形成されている。
【００６１】
また、中継基板４における、対物レンズ１の光軸に垂直な面は、平面状になっており、フラットな（平坦な）領域４ａ・４ｂとなっている（図３（ｂ）における点線で囲った部分）。
【００６２】
図４（ａ）は、本実施の形態の対物レンズ駆動装置のストッパー９の概略構成を示す平面図であり、図４（ｂ）は、図４（ａ）におけるストッパー９のＡ−Ａ線矢視断面図である。
【００６３】
ストッパー９は、図４（ａ）に示すように、その断面形状が「コ」の字状になっており、互いに対向する部位に、可動部１６がフォーカス方向に移動した際に接触するフォーカス方向接触部９ｄ・９ｈと、可動部１６がラジアル方向に移動した際に接触するラジアル方向接触部９ａ・９ｅと、支持部材１０を外部から保護する遮蔽部９ｂ・９ｆと、位置決め部９ｃ・９ｇとを有している。
【００６４】
ラジアル方向接触部９ａ・９ｅは、可動部１６に対向するようにラジアル方向に突起した突起であり、可動部１６のラジアル方向の移動範囲を規定するために設けられている。また、ラジアル方向接触部９ａ・９ｅの互いに対向する面は、平坦な面となっている。
【００６５】
フォーカス方向接触部９ｄ・９ｈは、ストッパー９の下部の一部が切り欠き状になったものであり、可動部１６に設けられた突起部２ａ・２ｂがそれぞれ当接することによって、可動部１６のフォーカス方向の移動範囲を制限するようになっている。
【００６６】
なお、遮蔽部９ｂ・９ｆ及び位置決め部９ｃ・９ｇについては、後で詳細に説明する。
【００６７】
次に、上記構成において、可動部１６が移動する際の、可動部１６の移動範囲が制限される動作について、図２〜図５に基づき説明すると、以下の通りである。なお、図２（ａ）に示す矢印の方向をラジアル方向（＋）とすると共に、また矢印の方向に逆の方向をラジアル方向（−）として説明する。同様にして、図２（ｂ）に示す矢印の方向をフォーカス方向（＋）とすると共に、また矢印の方向に逆の方向をフォーカス方向（−）として説明する。また、図５（ａ）はフォーカス方向の移動範囲とストッパー９のラジアル方向接触部９ｅとの関係を示しており、図５（ｂ）は要部Ｂの拡大図である。
【００６８】
本実施の形態の対物レンズ駆動装置１３では、図２（ａ）（ｂ）に示すように、可動部１６が対物レンズ駆動装置１３の中立位置にある状態では、可動部１６とストッパー９との間には、フォーカス方向及びラジアル方向に所定の間隔のクリアランスが設けられている。ここで、可動部１６がフォーカス方向或いはラジアル方向へ移動すると、移動した方向における可動部１６とストッパー９のクリアランスが狭くなり、ある移動距離に達すると可動部１６はストッパー９に接触し、それ以上の距離を移動できなくなる。
【００６９】
具体的には、固定基板８より支持部材１０を介して、ラジアル方向駆動コイルに電流が流れると、本実施の形態の対物レンズ駆動装置は、図２（ａ）に示すように、ラジアル方向に可動部１６が駆動することになる。ここで、例えば、ラジアル方向（＋）に可動部１６が移動する場合、可動部１６の領域４ｂがストッパー９のラジアル方向接触部９ａに接触して、可動部１６は停止することになる。これに対して、ラジアル方向（−）に可動部１６が移動する場合、可動部１６の領域４ａがストッパー９のラジアル方向接触部９ｅに接触して、可動部１６は停止することになる。
【００７０】
一方、固定基板８より支持部材１０を介して、フォーカス方向駆動コイルに電流が流れると、本実施の形態の対物レンズ駆動装置では、図２（ｂ）に示すように、フォーカス向に可動部１６が駆動することになる。ここで、例えば、フォーカス方向（＋）に可動部１６が移動した際は、可動部１６の突起部２ａ・２ｂとストッパー９のフォーカス方向接触部９ｄ・９ｈとがそれぞれ接触して、可動部１６は停止することになる。これに対して、フォーカス方向（−）に可動部１６が移動した際には、可動部１６の突起部２ａ・２ｂとベースプレート６とが接触して、可動部１６は停止することになる。
【００７１】
ところで、図３（ａ）（ｂ）に示す可動部１６の領域４ａ・４ｂが半球状に突起した形状である場合、可動部１６がストッパー９に接触した際に、可動部１６が傾くことになり、対物レンズ１の光軸がずれるおそれがある。しかしながら、本実施の形態では、領域４ａ・４ｂがストッパー９の接触部に対して、平行にフラットであるので、可動部１６が傾くおそれがない。
【００７２】
なお、図３（ａ）（ｂ）に示す領域４ａ・４ｂは、点線箇所に限定される領域ではなく、ストッパー９のフォーカス方向接触部９ｄ・９ｈがそれぞれ当接する箇所をフラットな平面状の領域４ａ・４ｂとすればよい。
【００７３】
すなわち、上記の説明では、領域４ａ、４ｂが中継基板４の表面に相当するが必ずしもその必要はなく、例えば、中継基板４の代わりに駆動コイル３やレンズホルダー２における対物レンズ１の光軸に垂直な面をフラットな領域４ａ・４ｂとしてもよい。
【００７４】
さらに、領域４ａ・４ｂ及びラジアル方向接触部９ａ・９ｅが平坦であるので、可動部１６の移動範囲を一定に保つことが可能となる。具体的には、図２（ａ）（ｂ）に示すように、可動部１６を駆動しない状態では、可動部１６は中立位置に位置している。ここから、図２（ｂ）に示すように、フォーカス方向に移動する場合、同時に図２（ａ）に示すラジアル方向へ移動することがある。つまり、可動部１６はラジアル方向に移動しながらフォーカス方向に移動することがある。この場合、可動部１６はフォーカス方向のどの位置にあっても、ラジアル方向の移動範囲は一定でなければならない。
【００７５】
したがって、例えば、図５（ａ）（ｂ）に示すように、ラジアル方向接触部９ａ・９ｅに対して、領域４ａ・４ｂはフォーカス方向の移動範囲内において平坦であることが必要である。このため、領域４ａ・４ｂが平坦であれば、可動部１６はどのフォーカス位置にあっても移動範囲を一定にすることができる。なお、ストッパー９のラジアル方向接触部９ａ・９ｅについても、領域４ａ・４ｂと同様に平坦であることが望ましい。
【００７６】
また、フォーカス方向接触部９ｄ・９ｈと、突起部２ａ・２ｂとの対向面は、互いに平行な平坦な面であることが望ましい。これにより、領域４ａ・４ｂ及びラジアル方向接触部９ａ・９ｅと同様にして、可動部１６のフォーカス方向における移動範囲を一定に保つことができる。
【００７７】
このようにして、可動部１６の移動距離を所定の移動範囲内に制限することができる。この移動範囲は記録再生対象となるディスク規格から求めることができ、これに相当するクリアランスを可動部１６とストッパー９との間に設ければよい。
【００７８】
また、本実施の形態の対物レンズ駆動装置１３では、可動部１６に設けられた突起部２ａ・２ｂやストッパー９に設けられたラジアル方向接触部９ａ・９ｅは対物レンズ１より光源側に配されるため、対物レンズ１の作動距離が０．３ｍｍ程度と小さくなってしまうBlue-ray Disc規格やさらに次世代の規格においても構成可能である。
【００７９】
次に、ストッパー９の位置決めについて説明する。図６（ａ）は上記対物レンズ駆動装置におけるストッパーの位置決め部を説明する平面図であり、図６（ｂ）は、その側面図である。
【００８０】
本実施の形態の対物レンズ駆動装置１３では、既に記載したとおり、位置決め部９ｃ・９ｇは、ストッパー９の開口寸法を一定に保つために設けられている。図６（ａ）（ｂ）に示すように、位置決め部９ｃ・９ｇはダンプブロック７を挟持して配される。また、ストッパー９は、ベースプレート６に設けられた突起である第一ヨーク１７に接着剤を用いて固定されている。
【００８１】
上記の構成によれば、位置決め部９ｃ・９ｇは、ダンプブロック７を挟持しているので、ストッパー９の「コ」の字の開口する部分の寸法が狭くなることがない。しかも、ストッパー９は互いに対向する二辺がダンプブロック７によって位置決めされ、かつ残りの一辺がベースプレート６に位置決めされる。これにより、ストッパー９に設けられたラジアル方向接触部９ａ・９ｅのラジアル方向の間隔は安定し、設計値から大幅に縮小されることはない。したがって、対物レンズ１はラジアル方向に対して、所定の範囲の移動範囲を有することになる。
【００８２】
なお、ストッパー９の位置決め部９ｃ・９ｇとダンプブロック７とは接着剤を用いて接着してもよいし、位置決め部９ｃ・９ｇとダンプブロック７との位置がずれない場合は接着しなくともよい。
【００８３】
ところで、従来の対物レンズ駆動装置では、支持部材が外部に剥き出しになっており、組立時のハンドリング性が悪く、今後、対物レンズ駆動装置の寸法が、ますます小型化する状況下では、高い良品率を確保することができなくなるという問題を有している。
【００８４】
これに対して、本実施の形態の対物レンズ駆動装置１３では、ストッパー９の遮蔽部９ｂ・９ｆは、図１及び図６（ａ）（ｂ）に示すように、支持部材１０のラジアル方向の側面を覆う構成となっている。
【００８５】
具体的には、ストッパー９における対向する二辺に、支持部材１０を覆うように遮蔽部９ｂ・９ｆがそれぞれ設けられており、遮蔽部９ｂ・９ｆの下側から上側までの高さはラジアル方向の側面から見て少なくとも支持部材１０の取り付け高さより高くなっている。これによって、対物レンズ駆動装置の組立時或いは評価のために搬送する際において、支持部材１０に外部に露出させないのでハンドリング性が向上する。その結果、製品の良品率を向上させることが可能となる。
【００８６】
以上のように、本実施の形態の対物レンズ駆動装置１３では、ストッパー９は、平面形状が「コ」の字状に形成されていると共に、ストッパー９の「コ」の字の開口する部分の寸法を一定に保持するダンプブロック７が、ストッパー９に挟持されて設けられている。
【００８７】
別の表現を用いて説明すれば、ストッパー９は、平面形状が「コ」の字状に形成されていると共に、ストッパー９における互いに対向する領域には、可動部１６が移動したときに接触するラジアル方向接触部９ａ・９ｅ及びフォーカス方向接触部９ｄ・９ｈと、ストッパー９の位置決めを行なう位置決め部９ｃ・９ｇとをそれぞれ備え、ストッパー９の「コ」の字の開口する部分の寸法を一定に保持するダンプブロック７が、位置決め部９ｃ・９ｇに挟持されて設けられている。
【００８８】
上記の構成によれば、可動部１６とストッパー９とが接触することにより、確実に可動部１６の移動範囲が規制される。そして、平面形状が「コ」の字状のストッパー９は、ダンプブロック７を挟持することによって、ストッパー９の「コ」の字の開口する部分の寸法が一定に保持される。これにより、ストッパー９に熱による変形や成形ミスが生じたとしても、ストッパー９と可動部１６との、対物レンズ１の光軸の方向と直交する方向、すなわちラジアル方向の間隔を一定に保つことが可能となると共に、ストッパー９が傾いて対物レンズ駆動装置１３に固定されることが低減される。その結果、可動部１６の移動範囲、つまり対物レンズ１の移動範囲を高い精度で保つことが可能となる。それゆえ、ディスク規格から要求される追従量を満足でき、かつ衝撃時のエラー発生を抑制することができる。
【００８９】
さらに、ストッパー９の「コ」の字における互いに対向する領域には、支持部材１０の側面を覆う遮蔽部９ｂ・９ｆがそれぞれ形成されているので、組立時に支持部材１０が他の部材と抵触して破損する等のトラブルを回避でき、製品の良品率を向上することができる。
【００９０】
また、ストッパー９の位置を規定するための部材として、対物レンズ駆動装置に設けられるダンピングブロックを使用するので、ストッパー９を位置決めする部材を別途必要とせずに、ストッパー９を位置決めすることができる。
【００９１】
〔実施の形態２〕
本発明の他の実施の形態について図７に基づいて説明すると以下の通りである。なお、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【００９２】
図７（ａ）は本実施の形態の対物レンズ駆動装置を示す平面図であり、図７（ｂ）は、その側面図である。
【００９３】
本実施の形態の対物レンズ駆動装置１９は、図７（ａ）（ｂ）に示すように、ストッパー１２を除いて、前記実施の形態１に記載しているものと同じである。より具体的には、ストッパー１２の位置決め部１２ｃ・１２ｇの形状が前記実施の形態１のストッパー９の位置決め部９ｃ・９ｇと異なっている。なお、フォーカス方向接触部１２ｄ・１２ｈと、ラジアル方向接触部１２ａ・１２ｅと、遮蔽部１２ｂ・１２ｆとは、それぞれ、実施の形態１におけるフォーカス方向接触部９ｄ・９ｈと、ラジアル方向接触部９ａ・９ｅと、遮蔽部９ｂ・９ｆと同様の機能を有している。
【００９４】
ストッパー１２は、ベースプレート６に設けられた第一ヨーク１７に接着固定されている。また、ストッパー１２の位置決め部１２ｃ・１２ｇはそれぞれベースプレート６に設けられた突起部（磁性ヨーク）６ａ・６ｂを挟み込むように接触している。なお、位置決め部１２ｃ・１２ｇは、突起部６ａ・６ｂを十分に接触していれば、特に接着されていなくてもよい。
【００９５】
以上のように、ストッパー１２は互いに対向する二辺（一対の対向部材）及び残りの一辺がベースプレート６のみによって位置決めされているため、ストッパー１２に設けられたラジアル方向接触部１２ａ・１２ｅのラジアル方向の間隔は安定し、設計値から大幅に縮小されることはない。とりわけ、本実施の形態では、ストッパー１２のラジアル方向の開口の間隔を決定する要素が、ベースプレート６とストッパー１２の二つの部材のみであるため、前記実施の形態１よりも高い精度で前記間隔を安定化させることができる。その結果、可動部１６とストッパー９との間隔がずれることがより一層低減され、製品の品質を向上することができる。
【００９６】
〔実施の形態３〕
本発明の他の実施の形態について図８に基づいて説明すると以下の通りである。なお、本実施の形態において説明すること以外の構成は、前記実施の形態１及び実施の形態２と同じである。また、説明の便宜上、前記の実施の形態１及び実施の形態２の図面に示した部材と同一の機能を有する部材については、同一の符号を付し、その説明を省略する。
【００９７】
図８（ａ）は本実施の形態の対物レンズ駆動装置を示す平面図であり、図８（ｂ）は、その側面図である。
【００９８】
本実施の形態の対物レンズ駆動装置２０は、図８（ａ）（ｂ）に示すように、ストッパー１４を除いて、前記実施の形態１に記載しているものと同じである。なお、フォーカス方向接触部１４ｄ・１４ｈと、ラジアル方向接触部１４ａ・１４ｅと、位置決め部１４ｃ・１４ｇとは、それぞれ、実施の形態１におけるフォーカス方向接触部９ｄ・９ｈと、ラジアル方向接触部９ａ・９ｅと、位置決め部９ｃ・９ｇと同様の機能を有している。
【００９９】
本実施の形態の対物レンズ駆動装置２０では、図８（ａ）（ｂ）に示すように、ストッパー１４における遮蔽部１４ｂ・１４ｆの一部に、それぞれ、長方形の開口部１５ａ・１５ｂが２つずつ設けられている。この開口部１５ａ・１５ｂは、支持部材１０周辺の通気性を向上させて雰囲気温度を下げるためのものである。
【０１００】
例えば、とりわけ高速記録再生時においては、給電経路である支持部材１０や駆動コイル３が発熱して雰囲気温度が高温となる。雰囲気温度が高温となることによって、第一マグネット５や第二マグネット１１の減磁や可動部１６の共振周波数が低下するなどの特性劣化が生じることがある。
【０１０１】
しかしながら、本実施の形態では、遮蔽部１４ｂ・１４ｆに開口部１５ａ・１５ｂが設けられていることによって放熱ができるため、特性劣化を抑えることができる。
【０１０２】
開口部１５ａ・１５ｂの形状や個数は、特に限定されるものではなく、組立時のハンドリング性を低下させないものであればよい。例えば、開口部１５ａ・１５ｂの形状や個数は、円形であったり、複数の開口部が設けられて結果として網目形状（メッシュ形状）となっていてもよい。
【０１０３】
なお、本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１０４】
本発明の対物レンズ駆動装置及びそれを用いる光ピックアップは、対物レンズの移動範囲を一定に保つと共に、対物レンズ駆動装置の組立時のハンドリング性を向上し得るので光ディスク等の記録媒体に情報を記録または再生する用途に適用できる。
【図面の簡単な説明】
【０１０５】
【図１】本発明における対物レンズ駆動装置の実施の一形態を示す斜視図である。
【図２】（ａ）は上記対物レンズ駆動装置の平面図であり、（ｂ）は、その側面図である。
【図３】（ａ）は上記対物レンズ駆動装置における可動部の概略構成を示す平面図であり、（ｂ）は、その側面図である。
【図４】（ａ）は上記対物レンズ駆動装置におけるストッパーの概略構成を示す平面図であり、（ｂ）は（ａ）におけるストッパーのＡ−Ａ線矢視断面図である。
【図５】（ａ）はフォーカス方向の移動範囲とストッパーのラジアル方向接触部との関係を示す説明図であり、（ｂ）は（ａ）に示す要部Ｂの拡大図である。
【図６】（ａ）は上記対物レンズ駆動装置におけるストッパーの位置決め部を説明する平面図であり、（ｂ）は、その側面図である。
【図７】（ａ）は本発明における対物レンズ駆動装置の他の実施の形態を示す平面図であり、（ｂ）は、その側面図である。
【図８】（ａ）は本発明における対物レンズ駆動装置のさらに他の実施の形態を示す平面図であり、（ｂ）は、その側面図である。
【図９】（ａ）は従来の対物レンズ駆動装置の概略構成を示す平面図であり、（ｂ）は、その側面図である。
【図１０】（ａ）は図９（ａ）（ｂ）に示す従来の対物レンズ駆動装置のストッパーを示す平面図であり、（ｂ）は、その側面図である。
【符号の説明】
【０１０６】
１    対物レンズ
２    レンズホルダー
２ａ・２ｂ    突起部
４    中継基板
４ａ・４ｂ    領域
６    ベースプレート（ベース基板）
６ａ・６ｂ・６ｃ・６ｄ    突起部（磁性ヨーク、固定部材）
７    ダンプブロック（固定部材）
８    固定基板
９    ストッパー（規制部）
９ａ・９ｅ    ラジアル方向接触部
９ｂ・９ｆ    遮蔽部
９ｃ・９ｇ    位置決め部
９ｄ・９ｈ    フォーカス方向接触部
１０    支持部材
１２    ストッパー（規制部）
１２ａ・１２ｅ    ラジアル方向接触部
１２ｂ・１２ｆ    遮蔽部
１２ｃ・１２ｇ    位置決め部
１２ｄ・１２ｈ    フォーカス方向接触部
１３    対物レンズ駆動装置
１４    ストッパー（規制部）
１４ａ・１４ｅ    ラジアル方向接触部
１４ｂ・１４ｆ    遮蔽部
１４ｃ・１４ｇ    位置決め部
１４ｄ・１４ｈ    フォーカス方向接触部
１５ａ・１５ｂ    開口部
１６    可動部（対物レンズ保持部材）
１９    対物レンズ駆動装置
２０    対物レンズ駆動装置
【図１】
2007179638.tif 000003
【図２】
2007179638.tif 000004
【図３】
2007179638.tif 000005
【図４】
2007179638.tif 000006
【図５】
2007179638.tif 000007
【図６】
2007179638.tif 000008
【図７】
2007179638.tif 000009
【図８】
2007179638.tif 000010
【図９】
2007179638.tif 000011
【図１０】
2007179638.tif 000012